(57)【特許請求の範囲】
【請求項１】
吊り下げ状態で防虫剤を徐放発散させる防虫剤容器であって、薬剤発散孔を有し、内部に防虫剤を収納する防虫剤容器本体と、該防虫剤容器本体の上端部に一体又は該防虫剤容器本体側に折り畳み可能に固定されてなるハンガー体とを備え、前記ハンガー体は少なくとも先端外側に向けて係止爪を備えた鉤手状のフック部を有する弾性変形可能な吊り下げ部と防虫剤容器本体に固定する取り付け部を有し、前記防虫剤容器本体の上端部には前記フック部の前記係止爪を挿入するための孔を有する係止部を備え、該係止部には前記係止爪を係止する引掛け係止突起を設け、前記係止爪を前記防虫剤容器本体の上端部に形成された前記孔に挿入し、前記係止爪と前記引掛け係止突起とを係合させることにより前記吊り下げ部を付勢状態に保持してなることを特徴とする防虫剤容器。
【請求項２】
前記防虫剤容器本体は、表側函体と裏側函体とを嵌着する２パーツからなり、前記係止部は、前記ハンガー体の鉤手状のフック部を係止していない通常の状態で、前記フック部より前記取り付け部寄りの位置に設け、前記鉤手状のフック部の先端外側に上向きの係止爪を設けたことを特徴とする請求項１記載の防虫剤容器。
【請求項３】
前記防虫剤容器本体にハンガー体取付凹部を設け、前記ハンガー体の折り畳み時に収納することを特徴とする請求項１または２に記載の防虫剤容器。
【請求項４】
前記ハンガー体取付凹部には、前記ハンガー体を収納固定するための切欠きと固定突起とからなる固定部が設けられ、該固定部により前記ハンガー体が付勢状態に固定されることを特徴とする請求項３に記載の防虫剤容器。
【発明の詳細な説明】
【技術分野】
【０００１】
本発明は、洋ダンス、クローゼットなどハンガーパイプや、ベランダの物干し棒や手摺りなどに吊り下げて使用する吊り下げ防虫剤容器に関するものである。
【背景技術】
【０００２】
従来、プラスチック製の防虫剤容器には、洋ダンスやクローゼット内に設けられているハンガーパイプに吊り下げるためのハンガー体が容器本体の上面に設けられた吊り下げ防虫剤容器があるが、ハンガー体の先端と容器本体の上面との間は、ハンガーパイプに取り付け易くするために、ハンガーパイプの外径より広く取られていた。しかし、防虫剤容器が、衣類などの出し入れの際に、人体や衣類が触れて脱落し易いため、これを改善するための発明や考案がなされていた。例えば、容器本体に一体又は接着してハンガー体を設けて、ハンガーパイプに吊り下げるときに、ハンガー体の先端部の嵌入部と容器本体の係入部又はハンガー体の下方ストッパー部の係入部とを係合するもの、ハンガー体の先端部側面の突起部を容器本体の孔部又はハンガー体の下方ストッパー部の孔部とを係合するもの、ハンガー体の先端部側面の鉤状部をハンガー体の下方ストッパー部の鉤状部とを係合するものなど（例えば、特許文献１参照。）があった。
【特許文献１】特開平１０−１６５０７０号公報
【発明の開示】
【発明が解決しようとする課題】
【０００３】
しかしながら、上述した従来の吊り下げ防虫剤容器は、衣類などの出し入れの際に、人体や衣類が触れて特定方向の外力がハンガー体に掛かった場合に、ハンガー体の先端と容器本体又はハンガー体の下方ストッパー部との係合が外れて、防虫剤容器がハンガーパイプから外れ脱落することがあった。
【０００４】
本発明は、上述の従来の吊り下げ防虫剤容器の問題点を解決したものであり、洋ダンス、クローゼットなどハンガーパイプや、ベランダの物干し棒や手摺りなどに吊り下げて使用したときに、防虫剤容器に人体や衣類が触れても、風に吹かれても、防虫剤容器がハンガーパイプ、物干し棒、手摺りなどから外れて脱落しにくく、流通時や保管時に、ハンガー体を容器本体に収納することが可能な吊り下げ防虫剤容器を提供するものである。
【課題を解決するための手段】
【０００５】
すなわち、本発明の第１の発明は、吊り下げ状態で防虫剤を徐放発散させる防虫剤容器であって、薬剤発散孔を有し、内部に防虫剤を収納する防虫剤容器本体と、この防虫剤容器本体の上端部に一体又はこの防虫剤容器本体側に折り畳み可能に固定されてなるハンガー体とを備え、前記ハンガー体は少なくとも先端外側に向けて係止爪を備えた鉤手状のフック部を有する弾性変形可能な吊り下げ部と防虫剤容器本体に固定する取り付け部を有し、前記防虫剤容器本体の上端部には前記フック部の前記係止爪を挿入するための孔を有する係止部を備え、この係止部には前記係止爪を係止する引掛け係止突起を設け、前記係止爪を前記防虫剤容器本体の上端部に形成された前記孔に挿入し、前記係止爪と前記引掛け係止突起とを係合させることにより前記吊り下げ部を付勢状態に保持してなることを特徴とする防虫剤容器である。
【０００６】
次に、本発明の第２の発明は、前記防虫剤容器本体は、表側函体と裏側函体とを嵌着する２パーツからなり、前記係止部は、前記ハンガー体の鉤手状のフック部を係止していない通常の状態で、前記フック部より前記取り付け部寄りの位置に設け、前記鉤手状のフック部の先端外側に上向きの係止爪を設けたことを特徴とする第１の発明に記載の防虫剤容
器である。
【０００９】
次に、本発明の第３の発明は、前記防虫剤容器本体にハンガー体取付凹部を設け、前記ハンガー体の折り畳み時に収納することを特徴とする。
【００１０】
そして、本発明の第４の発明は、前記ハンガー体取付凹部には、前記ハンガー体を収納固定するための切欠きと固定突起とからなる固定部が設けられ、この固定部により前記ハンガー体が付勢状態に固定されることを特徴とする。
【発明の効果】
【００１１】
本発明の吊り下げ防虫剤容器は、ハンガー体の材質が弾性変形可能な熱可塑性樹脂であり、洋ダンスやクローゼットなどのハンガーパイプやベランダの物干し棒や手摺りなどに吊り下げてられて使用されたときに、ハンガー体の先端部の鉤手状のフック部を、防虫剤容器本体の上端部に備えられた係止部に、フック部の先端外側に向けて設けられた係止爪を、係止部の引掛け係止突起に付勢状態に係合させているため、または、ハンガー体の先端部のの鉤手状のフック部を、防虫剤容器本体の上端部近傍に設けられた係止突部に、フック部の内周面側を係止突部に密接させて付勢状態に保持しているため、人体や衣類が防虫剤容器に触れても、風に吹かれても、防虫剤容器がハンガーパイプ、物干し棒、手摺りなどから外れて脱落しにくい。
【００１２】
また、本発明の吊り下げ防虫剤容器は、防虫剤容器本体にハンガー体取付凹部が設けられているため、流通時や保管時に、ハンガー体を折り畳んでこの防虫剤容器本体のハンガー体取付凹部に収納することができる。
【発明を実施するための最良の形態】
【００１３】
次に、本発明の吊り下げ防虫剤容器の実施の形態について、図を用いて詳細に説明する。
【００１４】
図１は、実施形態１の吊り下げ防虫剤容器の正面図であり、図２は、実施形態１のハンガー体をハンガーパイプに吊り下げて、ハンガー体のフック部を容器本体の係止部に係止したときの正面図であり、図３は、実施形態１の裏側函体の内側の構造を示す説明図である。図４は、実施形態２の吊り下げ防虫剤容器の正面図であり、図５は、実施形態２のハンガー体を、ハンガーパイプに吊り下げて、ハンガー体のフック部を容器本体の係止突部
に係止したときの正面図である。
【００１５】
実施形態１の吊り下げ防虫剤容器（１０）は、図１に示すように、複数個の薬剤発散孔（１１２）を有する表側函体（１１０）と、薬剤発散孔（１２２）を有する裏側函体（１２０）とを嵌着して、その内側に、例えば、ピレスロイド系殺虫剤などの薬剤を含浸させた防虫剤マットを収納する容器本体（１００）と、この容器本体（１００）の表側函体（１１０）の上端部に設けられたハンガー取り付け凹部（１１３）に、前方へ折り畳み可能に係着されたハンガー体（２００）とから構成されるものである。
【００１６】
上述のハンガー体（２００）は、ポリプロピレンなどの弾性変形可能な熱可塑性樹脂を用いて射出成形法により作製され、図１に示すように、吊り下げ部（２１０）の一方先端に上向きの係止爪（２２１）をもつ鉤手状のフック部（２２０）を設け、他方下端に取り付け部（２３０）を設けるものである。取り付け部（２３０）は、上面所定位置に表側函体（１１０）のハンガー取り付け凹部（１１３）の係止部（図示せず）に係止する係止部（２３１）が設けられ、両側側面下方に、表側函体（１１０）のハンガー取り付け凹部（１１３）の両側側面の回転摺接孔（図示せず）に挿着する回転軸（２３２，２３３）を設けるものである。そして、図２に示すように、洋ダンス、クローゼットなどのハンガーパイプ（２０）や、ベランダの物干し棒や手摺りなどにハンガー体（２００）で防虫剤容器（１０）を吊り下げたときに、ハンガー体（２００）の先端のフック部（２２０）を、容器本体（１００）の裏側函体（１２０）の上面板（１２３）に設けられた図２及び図３に示す係止部（１２４）に挿入し、図１に示すフック部（２２０）の先端の上向きの係止爪（２２１）を、図３に示す容器本体の裏側函体（１２０）の上面板（１２３）の係止孔（１２４）の左端側の内面に設けられた下向きの係止突起（１２５）に付勢状態に係止するものである。
【００１７】
また、図１に示すように、容器本体（１００）のハンガー体（２００）が係着する表側函体（１１０）の上端部所定位置には、ハンガー体取付凹部（１１３）が設けられ、このハンガー体取付凹部（１１３）の下方に、２個の固定部（１１５，１１６）をもつハンガー体収納凹部（１１４）を連続させて形成するものである。そして、流通過程や保管するときには、ハンガー体（２００）を前方に折り畳んで、ハンガー体収納凹部（１１４）にハンガー体（２００）を収納係止するものである。
【００１８】
次に、実施形態２の吊り下げ防虫剤容器（１０）は、図４に示すように、複数個の薬剤発散孔（１１２）を有する表側函体（１１０）と、複数個の薬剤発散孔（１２２）を有する裏側函体（１２０）とを嵌着して、その内側に、薬剤を含浸させた防虫剤マットを収納する容器本体（１００）と、この容器本体（１００）の表側函体（１１０）の上端部に設けられたハンガー取り付け凹部（１１３）に、前方へ折り畳み可能に係着されたハンガー体（２００）とから構成されるものである。
【００１９】
上述のハンガー体（２００）は、ポリプロピレンなどの弾性変形可能な熱可塑性樹脂を用いて射出成形法により作製され、図４に示すように、吊り下げ部（２１０）の一方先端に鉤手状のフック部（２２０）を設け、他方下端に取り付け部（２３０）を設けるものである。取り付け部（２３０）は、上面所定位置に表側函体（１１０）のハンガー取り付け凹部（１１３）の係止部（図示せず）に係止する係合部（２３１）が設けられ、両側側面下方に、表側函体（１１０）の表面板（１１１）のハンガー取り付け凹部（１１３）の両側側面の回転摺接孔（図示せず）に挿着する回転軸（２３２，２３３）を設けるものである。そして、図５に示すように、図２に示すように、洋ダンス、クローゼットなどのハンガーパイプ（２０）や、ベランダの物干し棒や手摺りなどにハンガー体（２００）で防虫剤容器（１０）を吊り下げたときに、ハンガー体（２００）の先端部のフック部（２２０）を、容器本体（１００）の表側函体（１１０）の上端部に設けられた係止突部（１１７）に、フック部（２００）の内周面側を係止突部（１１７）に密接して付勢状態に係止するものである。
【００２０】
また、図４に示すように、実施形態１と同様に、容器本体（１００）のハンガー体（２００）が係着する表側函体（１１０）の上端部所定位置には、ハンガー体取付凹部（１１３）が設けられ、このハンガー体取付凹部（１１３）の下方に、２個の係止突起（１１５，１１６）をもつハンガー体収納凹部（１１４）を連続させて形成するものである。そして、流通過程や保管するときには、ハンガー体（２００）を前方に折り畳んで、ハンガー体収納凹部（１１４）にハンガー体（２００）を収納係止するものである。
【図面の簡単な説明】
【００２１】
【図１】実施形態１の吊り下げ防虫剤容器の吊り下げ前の状態の正面図である。
【図２】実施形態１の吊り下げ防虫剤容器のハンガー体を、ハンガーパイプに吊り下げて、ハンガー体のフック部を容器本体の係止部に係止したときの正面図である。
【図３】実施形態１の吊り下げ防虫剤容器の裏側函体の内側の構造を示す説明図である。
【図４】実施形態２の吊り下げ防虫剤容器の吊り下げ前の状態の正面図である。
【図５】実施形態２の吊り下げ防虫剤容器のハンガー体を、ハンガーパイプに吊り下げて、ハンガー体のフック部を容器本体の係止突部に係止したときの正面図である。
【符号の説明】
【００２２】
１０……防虫剤容器
２０……ハンガーパイプ
１００……容器本体
１１０……表側函体
１１１……表面板
１１２，１２２……薬剤発散孔
１１３……ハンガー体取り付け凹部
１１４……ハンガー体収納凹部
１１５，１１６……固定部
１１７……係止突部                                                              １２０……裏側函体
１２１……裏面板
１２３……上面板
１２４……係止部
１２５……引掛け係止突起
２００……ハンガー体
２１０……吊り下げ部
２２０……フック部
２２１……係止爪
２３０……取り付け部
２３１……係合部
２３２，２３３……回転軸
【図１】
0005143488.tif 000002
【図２】
0005143488.tif 000003
【図３】
0005143488.tif 000004
【図４】
0005143488.tif 000005
【図５】
0005143488.tif 000006